(57)【要約】  液体を飲むための容器が提供され、これらの容器は、ａ）本体と、ｂ）本体に取り外し可能に付着され、容器の内部から容器の外部に液体が移動することが可能にするように構成された開口を有するキャップと、及びｃ）本体の内部に位置して、液体を保有し、本体の上部に隣接するカップと、を含み、液体は、カップを離れてキャップの開口を介して容器の外部に移動する。カップは、フランジ部を有することができ、これらのフランジ部は、本体の上部に位置するように構成される。【選択図】図２
2019535596.tif 000002
【特許請求の範囲】
【請求項１】
容器（ｃｏｎｔａｉｎｅｒ）であって、
ａ）本体と、
ｂ）前記本体に取り外し可能に取り付けられたキャップ（ｃａｐ）として、前記容器の内部から前記容器の外部に液体が移動することが可能にするように構成される開口を有する、第１キャップと、
ｃ）前記本体の内部に位置する液体を保有するためのカップと、
ｄ）前記液体の流れを調節するために、前記カップの上に位置する第１の一方向弁とを含み、
液体は、前記カップを離れて、前記キャップの開口を介して前記容器の外部に移動することを特徴とする容器。
【請求項２】
前記本体の外部から内部に空気が移動できるように構成された第２の一方向弁をさらに含むことを特徴とする請求項１に記載の容器。
【請求項３】
前記本体の底部に、除去可能な第２のキャップをさらに含むことを特徴とする請求項１または２に記載の容器。
【請求項４】
前記第２のキャップは、前記本体内へ空気の移動を可能にする一方向弁を含むことを特徴とする請求項３に記載の容器。
【請求項５】
前記キャップの開口は、前記キャップにおいてボイド（ｖｏｉｄ）で存在するチャネルの形態であることを特徴とする請求項１ないし４のいずれか一項に記載の容器。
【請求項６】
前記ハウジングの外部から前記チャンネルを閉じるための除去可能なプラグをさらに含むことを特徴とする請求項５に記載の容器。
【請求項７】
ユーザーが吸い込み、第１の一方向弁が開放され、前記容器を離れる液体の体積を補償するように、前記カップが収縮しながら、前記液体が前記容器を離れることを特徴とする請求項１ないし６のいずれか一項に記載の容器。
【請求項８】
前記容器は、ペニス（ｐｈａｌｌｕｓ）の形態であることを特徴とする請求項１ないし７のいずれか一項に記載の容器。
【請求項９】
前記容器は、シリンダの形態であることを特徴とする請求項１ないし８のいずれか一項に記載の容器。
【請求項１０】
前記容器は、ベビー哺乳瓶の形態であることを特徴とする請求項１ないし９のいずれか一項に記載の容器。
【請求項１１】
前記容器は、大人のおもちゃ（ａｄｕｌｔｔｏｙ）の形態であることを特徴とする請求項１ないし１０のいずれか一項に記載の容器。
【請求項１２】
前記本体は、前記カップの収縮によって収縮されない硬質材料（ｒｉｇｉｄｍａｔｅｒｉａｌ）で作られたことを特徴とする請求項１ないし１１のいずれか一項に記載の容器。
【請求項１３】
液体が前記容器を離れる時、前記カップの安定性を保持するために、前記カップの内部にセパレータ（ｓｅｐａｒａｔｏｒ）をさらに含むことを特徴とする請求項１ないし１２のいずれか一項に記載の容器。
【請求項１４】
液体が前記カップを離れるために、前記第１の一方向弁の前に、スロットをさらに含むことを特徴とする請求項１ないし１３のいずれか一項に記載の容器。
【請求項１５】
前記本体は、２つ以上の層で作られ、
外側の層は、圧縮性のある材料で作られ、内部の層は圧縮性のない材料で作られることを特徴とする請求項１ないし１４のいずれか一項に記載の容器。
【請求項１６】
前記本体と前記キャップは、互いにねじ山の方式で付着されるように構成されることを特徴とする請求項１ないし１５のいずれか一項に記載の容器。
【請求項１７】
前記キャップは、女性の胸を連想させる乳首（ｎｉｐｐｌｅ）の形態であることを特徴とする請求項１ないし１６のいずれか一項に記載の容器。
【請求項１８】
一つの部品で製作される部材をさらに含み、
前記部材は、上部に噴出部と、前記噴出部と液体を疎通するスロットと、及び前記スロットの下に位置するセパレータとを有し、
前記液体は、前記スロットを介して離れ、前記噴出部を通じて前記容器の外部に移動することを特徴とする請求項１ないし１７のいずれか一項に記載の容器。
【請求項１９】
前記部材は、前記キャップから下に降りてくる延長部に取り付けられ、これにより前記部材は前記ハウジングの外部と流体疎通することを特徴とする請求項１ないし１８のいずれか一項に記載の容器。
【請求項２０】
前記バルブは、前記噴出部の上に位置することを特徴とする請求項１ないし１９のいずれか一項に記載の容器。
【請求項２１】
前記部材は収縮する材料で密封されることを特徴とする請求項１ないし２０のいずれか一項に記載の容器。
【請求項２２】
前記カップは、フランジ部を有し、前記フランジ部は、前記ハウジングの本体部の上に位置することを特徴とする請求項１ないし２１のいずれか一項に記載の容器。
【請求項２３】
前記第１の一方向弁は、前記カップのフランジ部に位置するアセンブリの一部であることを特徴とする請求項１ないし２２のいずれか一項に記載の容器。
【請求項２４】
一つ以上の一方向弁は、アンブレラ（ｕｍｂｒｅｌｌａ）バルブであることを特徴とする請求項１ないし２３のいずれか一項に記載の容器。
【請求項２５】
一つ以上の一方向弁はスプリングバルブであることを特徴とする請求項１ないし２４のいずれか一項に記載の容器。
【請求項２６】
前記第１の一方向弁と前記第２の一方向弁は、異なるｋ定数を有するスプリングバルブであることを特徴とする請求項１ないし２５のいずれか一項に記載の容器。
【請求項２７】
マネキンやマネキンの一部として、
ａ）人の口、胸、ペニス、膣、肛門の開口を表す１つ以上の開口と、
ｂ）請求項１ないし２６のいずれか一項に記載の容器と、及び
ｃ）前記容器から前記マネキンの開口に接続される管材（ｔｕｂｉｎｇ）と、を含み、
ユーザーは前記容器から前記マネキンの外部に出てくる液体を飲むことができることを特徴とするマネキンやマネキンの一部。
【請求項２８】
マネキンやマネキンの一部として、
ａ）人の口、胸、ペニス、膣、肛門の位置する位置に隣接する一つ以上の空洞（ｃａｖｉｔｉｅｓ）と、及び
ｂ）請求項１ないし２６のいずれか一項による容器と、を含み、
前記空洞は、前記マネキンの外部から接近可能であり、
前記容器が、前記マネキンの空洞の内部に部分的に、または完全に位置する間に、ユーザーは前記容器から液体を飲むことができることを特徴とするマネキンやマネキンの一部。
【請求項２９】
前記容器は、前記マネキンの内部に垂直に位置することを特徴とする請求項２７または２８に記載のマネキンやマネキンの一部。
【請求項３０】
前記マネキンは、男性のマネキンであることを特徴とする請求項２７ないし２９のいずれか一項に記載のマネキンやマネキンの一部。
【請求項３１】
前記マネキンは、前記容器を配置し、除去するために、前記の空洞の後方部からアクセス（ａｃｃｅｓｓ）を有することを特徴とする請求項２７ないし３０のいずれか一項に記載のマネキンやマネキンの一部。
【請求項３２】
前記空洞及び前記容器は、前記容器に取り外し可能に取り付けさせるための相補的なねじ山を有することを特徴とする請求項２７ないし３１のいずれか一項に記載のマネキンやマネキンの一部。
【請求項３３】
前記マネキンの胸の一般的に位置する位置に、２つの空洞が位置し、前記の空洞のそれぞれは、ねじ山を有し、前記空洞のそれぞれに単一の容器がねじ山の形態で取り付けられることを特徴とする請求項２７ないし３２のいずれか一項に記載のマネキンやマネキンの一部。
【請求項３４】
前記胸の位置に位置する前記容器のそれぞれは、ユーザーが液体を飲むことができるように、乳首を有することを特徴とする請求項２７ないし３３のいずれか一項に記載のマネキンやマネキンの一部。
【発明の詳細な説明】
【技術分野】
【０００１】
本出願は、２０１７年３月１７日に出願された米国仮出願第６２/４７３,２２０号、２０１７年１１月１７日に出願された米国仮出願第６２/４２３,３０１号、２０１７年６月６日に出願された米国出願第１５/６１５,６２９号の優先権を主張する出願であり、２０１７年６月６日に出願された米国出願第１５/６１５,０８２号、及び２０１７年７月２７日に出願された米国出願第１５/６２２,１９８号の一部の継続出願である。これらのすべての出願が、ここでその全体が参照として引用される。
【背景技術】
【０００２】
人々は渇きを解消するために、または楽しむために飲み物を飲む必要がある。水、ジュースやアルコールなどの異なる液体は、一般的に、比較的退屈な容器から提供される。また、容器は衛生を保持するために、常に洗浄されるべきである。衛生と楽しみのための方法で液体を飲むために、容器にアート（ａｒｔ）が必要である。
【発明の概要】
【課題を解決するための手段】
【０００３】
液体を飲むための容器が提供され、これらの容器は、ａ）液体を保有しており、液体が容器を離れる時に収縮する材料で作られた容器と、ｂ）液体が容器を離れて排出されるための開口と、ｃ）人が開口を吸い込むと、駆動されるように構成される一方向弁と、を含み、人が吸うとき一方向弁が開放され、容器を離れる液体の体積を補償するように容器が収縮される間に、液体が容器を離れるようになる。また、容器は、容器の位置するハウジングを含むことができる。ハウジングは、ペニスの形状であることができる。ハウジングは、シリンダの形態状であることができる。ハウジングは、ベビー哺乳瓶形状であることができる。ハウジングは、大人のおもちゃの形状であることができる。ハウジングは、容器の収縮によって収縮されない硬質材料で作られることができる。開口は、ハウジングの内部と外部の間で空気を交換するために存在することができる。また、液体が容器を出る時、容器の安定性を保持させるように容器の内部にセパレータをさらに含むことができる。セパレータは、棒（ｒｏｄ）であることができる。また、容器は、液体が容器を離れて行く一方向バルブの前にスロットを含むことができる。ハウジングは、一つの層、または代替的に少なくとも二つの層で作られることができ、外部の層は、圧縮性材料で作られ、内部の層は、非圧縮性材料で作られることができる。ハウジングは、本体とキャップの二つの部品で作られることができ、本体とキャップは、互いにねじ山の方式で付着されることができる。キャップは、ハウジングの外部に液体が移動するためのチャネルを持つことができる。キャップは、女性の胸を連想させる乳首の形態であるか、唇や膣の形状であることができる。容器は、一つの部品で作られた部材を含むことができ、これらの部材は、上部に噴出部、噴出部と液体疎通するスロットと、スロットの下に位置するセパレータと、を含み、液体はスロットを介して離れ、容器の外部に噴出部を通じて移動する。これらの部材はキャップの内側の延長部、またはキャップから下に降りてくる延長部に取り付けられることができ、これにより前記部材は、ハウジングの外部と流体疎通することができる。バルブは、噴出部の上に位置することができる。前記部材は収縮する材料で密封されることができる。
【０００４】
液体を飲むための容器が提供され、これらの容器は、ａ）ペニスの形状を有し、本体とキャップを保有するハウジングであって、ハウジングの本体の内部に液体のための貯蔵部を有し、キャップは、ハウジングに取り外し可能に取り付けられるように構成される、ハウジングと、及びｂ）ハウジングの内部から容器の外部に液体を輸送するように構成されるキャップのチャンネルと、を含み、貯蔵部は、キャップを除去し、貯蔵部内に液体を注いで入れることにより満たされ、液体は、チャネルを介して消耗され、この場合は、キャップが所定の位置にある容器の唯一の開口は、チャンネルである。キャップと本体は、相補的なねじ山を持つことができる。プラグは、チャネルの内部に位置されることができ、チャンネルの外部から除去可能である。
【０００５】
液体を飲むための容器が提供され、これらの容器は、ａ）本体と、ｂ）本体に取り外し可能に付着され、容器の内部から容器の外部に液体が移動することが可能にするように構成される開口を有するキャップと、及びｃ）本体の内部に位置して、液体を保有し、本体の上部に隣接するカップと、を含み、液体はカップを離れてキャップの開口を介して容器の外に移動する。カップは、フランジ部を有することができ、これらのフランジ部は、本体の上部に位置するように構成される。容器は、カップとキャップの開口との間に位置する一方向弁をさらに含み、これらのバルブは、カップのフランジ部の上に位置するアセンブリを有する。容器は、ペニスの形状であることができる。容器は、ベビー哺乳瓶形状であることができる。容器は大人のおもちゃの形状であることができる。カップは、液体がカップを離れるときに収縮することができる。本体は、少なくとも２つの層で作られることができ、外部の層は、圧縮性材料で作られ、内部の層は非圧縮性材料で作られる。本体とキャップは、互いにねじ山の方式で付着されることができる。容器は、カップとキャップの開口との間に位置する一方向弁をさらに含むことができる。一方向バルブは傘弁であることができる。
【０００６】
マネキンまたはその一部が提供され、これはａ）人の口、胸、膣または肛門の位置するところに隣接する一つ以上の空洞（ｃａｖｉｔｉｅｓ）と、ｂ）前記空洞に位置する液体を保有するように構成され、液体を飲むための開口を有する容器と、を含み、開口はマネキンの外部からアクセス可能であり、容器がマネキンの空洞の内部に部分的に、または完全に位置する間、ユーザーが容器から液体を飲むことができる。マネキンは、少なくとも２インチほど容器の外部に出てくる容器の開口を有する男性マネキンであることができる。マネキンは，容器を位置させて除去するために、空洞の後方部からアクセスを有することができる。空洞と容器は、容器に取り外し可能に取り付けされるための相補的なねじ山を有することができる。二つの空洞は、マネキンの胸が、一般的に位置する場所に位置することができ、空洞のそれぞれは、ねじ山を有し、空洞のそれぞれは、単一の容器にねじ方式で取り付けられる。胸の位置に置かれる容器のそれぞれは、液体を、ユーザーが飲むための乳首を有することができる。
【０００７】
液体を飲むための容器が提供され、これは、ａ）本体と、ｂ）本体に取り外し可能に付着され、容器の内部から容器の外部に液体が移動することが可能にするように構成される開口を有するキャップと、ｃ）本体の内部に位置し、液体を保有し、本体の上部に隣接するカップと、及びｄ）容器の内部でキャップに付着される一方向弁と、を含み、液体はカップを離れ、キャップの開口を介して容器の外部に移動する。カップは、フランジ部を有することができ、フランジ部は、本体の上部に位置するように構成される。一方向バルブは、カップとキャップの開口との間に位置することができ、バルブは、カップのフランジ部の上に位置するアセンブリを有する。一方向バルブは、カップの上に位置するディスク部とキャップに付着されるディスク部の上の突起部を含むことができる。一方向バルブは、傘弁であることができる。
【０００８】
マネキンまたはその一部が提供され、これは、ａ）人の口、胸、ペニス、膣または肛門の位置する場所を表す１つ以上の開口と、ｂ）液体を保有するように構成され、容器の外部に液体の移動のための開口を有する容器と、及びｃ）容器からマネキンの開口への管材を含み、ユーザは、マネキンの外部から容器からの液体を飲むことができる。容器は、マネキンの内部に垂直に配置されることができる。一方向バルブは、カップに位置するディスク部と、及びキャップに付着されたディスク部の上の突起部と、を含むことができる。一方向バルブは、カップとキャップの開口との間に位置することができ、バルブはカップのフランジ部の上に位置するアセンブリを有する。
【０００９】
マネキンのための飲用システムが提供され、これは、ａ）マネキンの外部に付着され、開口を有する部材と、ｂ）液体を保有するように構成され、容器の外部に液体の移動のための開口を有する容器と、及びｃ）容器からマネキン上の部材への管材と、を含み、ユーザは、マネキンの外部の部材から容器からの液体を飲むことができる。
【００１０】
液体を飲むための容器が提供され、これらの容器は、ａ）本体と、ｂ）本体に取り外し可能に付着され、容器の内部から容器の外部に液体を移動させるように構成された開口を有する第１のキャップと、ｃ）本体の内部に位置して液体を保有し、本体の上部に隣接するカップと、ｄ）液体の流動を調節するために、カップの上に位置する第１の一方向弁と、ｅ）外部から本体内部に空気が移動することが可能にするように構成される第２の一方向弁と、を含み、液体はカップを離れて、キャップの開口を介して容器の外部に移動し、外部からの空気は、第２の一方向弁を介して本体の中に移動する。容器は、第２の一方向弁を収容する本体の底部に第２のキャップをさらに含むことができる。
【００１１】
マネキンまたはその一部が提供され、これは、ａ）人の口、胸、ペニス、膣または肛門の位置する場所を示す一つ以上の開口と、ｂ）液体を保有するように構成され、容器の外に液体の移動のための開口を有する容器と、ｃ）容器からマネキンの個口への管材と、及びｄ）容器の外部への液体の流れを調節するための第１の一方向弁と容器の内部への空気の流れを調節するための第２の一方向弁と、を含み、ユーザはマネキンの外部から容器からの液体を飲むことができる。
【００１２】
マネキンのための飲用システムが提供され、これは、ａ）開口を有し、マネキンの外に付着されるための部材（乳首の形状の可能性あり）と、ｂ）液体を保有するように構成され、容器の外部への液体の移動のための開口を有する容器と、ｃ）容器からマネキンへの装着のための管材と、ｄ）容器の外部に液体の流動を調節するための第１の一方向弁、及び容器の内部に空気の流れを調節するための第２の一方向弁と、を含み、ユーザは部材から容器からの液体を飲むことができる。
【００１３】
一方向バルブは、スプリングバルブであることができる。各バルブは、異なるｋ定数を有するスプリングを有することができる。
【図面の簡単な説明】
【００１４】
【図１】大人のおもちゃの正面図である。
【図２】バルブが閉じた大人のおもちゃの断面図である。
【図３】弁が開放された大人のおもちゃの断面図である。
【図４】大人のおもちゃを図示する。
【図５】大人のおもちゃを図示する。
【図６】大人のおもちゃを図示する。
【図７】大人のおもちゃのためのハウジングの背面図を図示する。
【図８】大人のおもちゃのためのハウジングの側断面図を図示する。
【図９】液体容器の側面図を図示する。
【図１０】液体容器の正面断面図を図示する。
【図１１】液体容器の正面断面図を図示する。
【図１２】乳首の形態の液体容器が装着されたマネキンの側面図を図示する。
【図１３】乳首の形態の液体容器が装着されたマネキンの正面図を図示する。
【図１４】マネキンのための乳首の形態の液体容器の正面図を図示する。
【図１５】マネキンのための乳首の形態の液体容器の側断面図を図示する。
【図１６】容器の噴出部（ｃｏｎｔａｉｎｅｒｓｐｏｕｔ）の側面図を図示する。
【図１７】容器の噴出部の正面断面図を図示する。
【図１８】容器の噴出部の正面図を図示する。
【図１９】一方向バルブの詳細な断面図を図示する。
【図２０】一方向弁の分解図を図示する。
【図２１】ベビー哺乳瓶のアセンブリの正面図を図示する。
【図２２】ベビー哺乳瓶のアセンブリの側断面図を図示する。
【図２３】液体容器の側面図を図示する。
【図２４】液体のない（ｌｉｑｕｉｄ-ｌｅｓｓ）容器の正面図を図示する。
【図２５】液体のない容器の水平断面正面図を図示する。
【図２６】液体の移動を示す正面図の部分的な垂直断面図を図示する。
【図２７】顔の空洞に瓶が位置し、瓶の口が唇からアクセス可能なマネキンを図示する。
【図２８】胴体の空洞に瓶が位置し、瓶の乳首が、膣（ｖａｇｉｎａ）からアクセス可能なマネキンを図示する。
【図２９】唇のような形状の瓶の乳首を有する瓶を図示する。
【図３０】口の外部にペニスの形状の容器が付いている男性マネキンの頭を図示する。
【図３１】口の外部にペニスの形状の容器が付いている男性マネキンの胴体を図示する。
【図３２】大人のおもちゃの等測軸分解図を図示する。
【図３３】大人のおもちゃの正面図を図示する。
【図３４】大人のおもちゃの断面図を図示する。
【図３５】大人のおもちゃの側面図を図示する。
【図３６】図３５の側面図のＡ-Ａ断面を図示する。
【図３７】図３５の側面図のＢ-Ｂ断面を図示する。
【図３８】バルブアセンブリのＯリング（ｏ-ｒｉｎｇ）シーラー（ｓｅａｌｅｒ）の側面図を図示する。
【図３９】バルブアセンブリのシャーシ（ｃｈａｓｓｉｓ）を備えたバルブアセンブリの平面図を図示する。
【図４０】バルブアセンブリのシャーシを備えたバルブアセンブリの底面図を図示する。
【図４１】一方向バルブのアセンブリの等測軸分解図を図示する。
【図４２】バルブアセンブリのシャーシを備えたバルブアセンブリの等測軸図を図示する。
【図４３】図３９のバルブアセンブリの平面図の断面図を図示する。
【図４４】一般的に閉じた位置のバルブを備えたおもちゃの断面図を図示する。
【図４５】ユーザーの口の吸引によって開放された位置のバルブを備えたおもちゃの断面図を図示する。
【図４６】閉じた位置のバルブアセンブリの等測軸図を図示する。
【図４７】開放した位置のバルブアセンブリの等測軸図を図示する。
【図４８】ユーザーの必要に応じて液体を満たして入れた場合に、ペニスの形状のカップを図示する。
【図４９】ユーザーの必要に応じて液体を満たして入れた場合に、ペニスの形状のカップを図示する。
【図５０】マネキンのための接続のためのソフトな管材（胸の乳首の接続部が示される）を備えた容器の側面図を図示する。
【図５１】図５０の断面図を図示する。
【図５２】マネキンのペニスのための容器/アダプタの等測軸図を図示する。
【図５３】容器アセンブリの正面分解図を図示する。
【図５４】図５３の部分断面図を図示する。
【図５５】詰め替え可能な乳首の形状の液体容器が装着されたマネキンの正面図を図示する。
【図５６】詰め替え可能な乳首の形状の容器が装着されたマネキンの側面図を図示する。
【図５７】詰め替え可能なベビー哺乳瓶のアセンブリの正面図を図示する。
【図５８】ベビー哺乳瓶のアセンブリの側断面図を図示する。
【図５９】ベビー哺乳瓶のアセンブリの等測軸分解図を図示する。
【図６０】化学的に結合されたシリコンオーバーモールド（ｏｖｅｒ-ｍｏｌｄ）（図示されたものでは１ｍｍ乃至３ｍｍの外部面）を備えた容器ハウジングの側面図を図示する。
【図６１】図６０の断面図を図示する。
【図６２】シリコンオーバーモールド亀頭の等測軸図を図示する。
【図６３】シリコンオーバーモールドシャフトの等測軸図を図示する。
【図６４】シリコンオーバーモールドの底部キャップ/バルブアセンブリの等測軸図を図示する。
【図６５】伸張可能な上部保護カバーが装着された大人のおもちゃの正面図を図示する。
【図６６】図６５の断面図を図示する。
【図６７】保護キャップの装着された大人のおもちゃの等測軸側面を図示する。
【図６８】伸張可能な保護カバーの側面図を図示する。
【図６９】伸張可能な保護カバーの底面図を図示する。
【図７０】底部キャップ/バルブアセンブリの底面図を図示する。
【図７１】底部キャップ/バルブアセンブリの等測軸平面図を図示する。
【図７２】底部キャップ/バルブアセンブリの分解図を図示する。
【図７３】底部キャップ/バルブアセンブリの平面図を図示する。
【図７４】図７３の断面図を図示する。
【図７５】大人のおもちゃのアセンブリの側面図を図示する。
【図７６】図７５の断面図を図示する。
【図７７】外部ねじ山の形態のシャフトを備えた容器ハウジングの平面図を図示する。
【図７８】外部ねじ山の形態のシャフトを備えた容器ハウジングの上部側面を図示する。
【図７９】外部ねじ山の形態のシャフトを備えた容器ハウジングの等測軸分解図を図示する。
【図８０】亀頭のスプリングバルブのアセンブリの等測軸分解図を図示する。
【図８１】亀頭のスプリングバルブのアセンブリの側断面図を図示する。
【図８２】底部のキャップのスプリングバルブのアセンブリの等測軸分解図を図示する。
【図８３】底部のキャップのスプリングバルブのアセンブリの側断面図を図示する。
【図８４】スプリングバルブのアセンブリの等測軸分解図を図示する。
【図８５】閉じた位置のスプリングバルブのアセンブリの等測軸図を図示する。
【図８６】閉じた位置のスプリングバルブの断面図を図示する。
【図８７】開放位置のスプリングバルブのアセンブリの等測軸図を図示する。
【図８８】開放位置のスプリングバルブのアセンブリの等測軸図を図示する。
【発明を実施するための形態】
【００１５】
図１乃至図８は、大人のおもちゃの形状であり、この場合、ペニスの形状の飲料容器を図示する。他の実施例では、容器はベビー哺乳瓶や他の形状のカップであることができる。飲用のための液体は、容器の内部に位置する。ユーザーは、容器の位置とは関係なく（すべての図面で）容器から飲むことができる。また、容器は洗浄され、再利用されることができる。
【００１６】
図１は、大人のおもちゃの正面図を図示し、大人のおもちゃの外部を図示する。本体１は、硬質材料（ｒｉｇｉｄｍａｔｅｒｉａｌ）の上にソフトカバーになったオーバーモールドで作られることができるか、または液体に対して多孔質でない単一の材料で作られることができる。図１は、人間の組織と類似する風合いと硬さを有する本体１のソフトカバーを図示する。適切なソフトな材料は、５０Ｓｈｏｒｅ○○○乃至８０Ｓｈｏｒｅ  ○○の範囲のＴＰＥジェルであることができる。ＴＰＥの例として、スチレン系ブロックコポリマー（ＴＰＥｓまたはＳＢＳ、ＳＥＢＳに基づいたＴＰＥコンパウンド）、ポリオレフィンブレンド（ＴＰＥ-ＯまたはＴＰＯ）、エラストマーリックアロイ（ｅｌａｓｔｏｍｅｒｉｃａｌｌｏｙｓ）（ＴＰＥ-ＶまたはＴＰＶ）、熱可塑性ポリウレタン（ＴＰＥ-ＵまたはＴＰＵ）、熱可塑性コポリエステル（ＴＰＥ-ＥまたはＴＰＣ）、及び熱可塑性ポリアミド（ＴＰＥ-ＡまたはＴＰＡ）を含む。本体１は、シリンダの形態であることができる。硬質部品は、金属、プラスチック、ガラス、木材、布、セラミック及びカーボンファイバーで作られることができる。ガラスは、一般的に単層ハウジングに使用される。
【００１７】
本体の上部をカバーしてペニスを見るためには、亀頭の形態のキャップ４は、本体１の上部をカバーすることができる。キャップ４は、ソフトカバー（オーバーモールド）で作られることができる。本体１の上のキャップ４は、キャップ-本体のスプリットライン１００を生成することができる。キャップ４は、ねじ山を持つことができ、これにより本体１に取り外し可能にねじ山を利用して付着させることに使用されることができる。
【００１８】
図２は、図１の大人おもちゃの断面図を図示する。この図では、本体のソフトカバー（オーバーモールド）１、本体ハウジングのハードシェル（オーバーモールド）２、本体ハウジングのハードシェルの空気交換ホール２ａ、本体ハウジングキャップのハードシェル（オーバーモールド）３、キャップ（亀頭）のソフトカバー（オーバーモールド）４、キャップのハードシェル（オーバーモールド）５、キャップの液体アクセスホール５ａは、液体流動方向１０１、空気のない液体１０２、キャップ/液体容器の締結ネジ１０３、キャップ/本体のオーバーモールドの締結ネジ１０４、ソフトな液体容器７、バルブシールのＯリングのアセンブリ（閉じた位置）１０、バルブのハウジング１９及びバルブ保持リング２０が開示される。
【００１９】
図２は、本体１の内部に容器７が配置されたことを図示する。容器７は、液体が容器７を離れる時の収縮/崩壊するソフトな材料で作られ、これにより、液体の体積の損失を補償する。容器は、空気のない液体を含むことができる。液体の例としては、水、ジュース、ソーダ、アルコール、ワイン、ウォッカ、テキーラ、ウィスキーまたは味及び/または外観から人間の液体を連想させる液体（例えば、精液）を含む。セパレータ６ａは、ほぼ容器７の上部から容器７の底部に延長されており、これは特に液体１０２が容器７の底部を離れるときに容器７を安定的に保持するように含まれることができる。図２に示されたセパレータ６ａは、満たされており、液体の移動を可能にしない。他の実施例において、セパレータは、液体の移動を可能にするように側面に選択的な穿孔及び内部空洞を持つストロー（ｓｔｒａｗ）である。セパレータ６ａは、噴出部６に付着され、その下に位置する。液体１０２は、噴出部６の上のスロット６ｄを介して離れる。スロット６ｄの下には、一方向バルブのハウジング１９が位置する。バルブのハウジング１９は、バルブ１０を含み、これは、人の口の吸引力によって駆動されるように構成される。バルブ１０を離れた液体は、排出部６に上り、キャップ４の液体アクセスホール４ａ（チャンネル）内に移動する。この後、液体は、キャップ４の上のホール４ａの上部からおもちゃを抜けていく。図２は、閉じた位置のバルブ１０を示し、図３は、開放位置のバルブ１０を示し、これにより、液体通過バルブ１０の移動が可能である。容器は、ソフトな材料を溶接することにより作られることができ、これはシイム（ｓｅａｍ、７ａ）を有する容器を導出することができる。
【００２０】
図３は、開放されたバルブ１０の断面図を図示する。こんな図面は、液体流動方向１０１、空気のない液体１０２、取り付け吸引（ｓｕｃｔｉｏｎ）カップ１ａ、本体ハウジングのソフトシェルの空気交換ホール１ｂ、本体ハウジングのキャップの止め輪３ａ、キャップ（亀頭）のソフトカバーの液体アクセスホール４ａ、液体容器の噴出部６、ソフトな容器フィルムのセパレータ６ａ、ソフトな容器の溶接されたシーム７ａとバルブシールのＯリングのアセンブリ（開放された位置）１０を開示する。アイテム６ａは、噴出部ユニットの延長部であり、ユーザの口の吸引によって、ソフトな容器から液体が出ていくことを可能にするスペーサーの役割をする。チェックバルブのアイテム１０は、空気がハウジングの外側に出る液体を代わりにすることを防止する。ソフトな容器のアイテム７は、すべての液体が消耗されるまで、空気なしで保持される。これらのおもちゃは、液体がまだ利用可能な間に、普遍的な位置で使用されることができる。液体容器は、使い捨てであることができ、オーバーモールドされたハウジングは、再利用が可能であり、安全に食器洗浄することができる。代替的に、液体容器は再利用可能である。
【００２１】
図４は、ペニスの形状の本体１を持つ大人のおもちゃの側面図を図示する。この図では、本体のソフトカバー（オーバーモールド）１、及びキャップ（亀頭）のソフトカバー（オーバーモールド）４が示されている。おもちゃの底部は、取り付け吸盤１ａを有することができる。
【００２２】
図５は、ペニスの形状の本体１を備えた大人のおもちゃの等測軸正側面を図示する。この図では、本体のソフトカバー（オーバーモールド）１、本体ハウジングのソフトシェルの空気交換ホール１ｂ、及びキャップ（亀頭）のソフトカバー（オーバーモールド）４が示されている。
【００２３】
図６は、本体のソフトカバー（オーバーモールド）１、取り付け吸盤１ａとキャップ本体のスプリットライン２ｂを備えた大人のおもちゃの斜視図である。取り付け吸盤１ａは、起立した位置で、大人のおもちゃを安定化させ、平面に対して大人のおもちゃを取り外し可能に付着させることに用られることができる。キャップ４は、アクセスホールの開口４ａからキャップ４のバルジ（ｂｕｌｇｅ）エリアの底部に延長される２つのバルジの間で外部にチャンネルをさらに有することができる。
【００２４】
図７は、大人のおもちゃの再利用可能なハウジングの背面図である。こんな図面は、本体のソフトカバー（オーバーモールド）１、空気交換ホール１ｂ、キャップ本体のスプリットライン１００及びキャップ（亀頭）のソフトカバー（オーバーモールド）４を図示する。空気交換ホール１ｂは、ハウジングの内部でハウジングと容器との間の空気とハウジングの外部からの空気との交換を可能にする。
【００２５】
図８は、大人のおもちゃの再利用可能なハウジングの側断面図を図示する。こんな図面は、本体のソフトカバー（オーバーモールド）１、取り付け吸引キャップ１ａ、キャップのための本体ハウジングのハードシェルのねじ山の形態のレセプタクル（ｒｅｃｅｐｔａｃｌｅ）２ｂ、本体ハウジングキャップのハードシェル（オーバーモールド）３（球形の形態であり、製造過程で底部の部品をキャップするために利用される）、本体ハウジングキャップのスナップ反り（ｄｅｆｌｅｃｔｉｏｎ）スロット３ｂを示す。本体の上部にキャップ４が配置され、これはキャップのハードシェル５にオーバーモールドされる。キャップのねじ山の形態のレセプタクル５ｃは、下に延長し、噴出部を収容するように構成される。図８に図示されたハウジングは、再利用可能であり、それぞれの使用後に洗浄されることができる。消耗のための液体を有する容器は、ハウジングに位置する。キャップ４と本体１は、硬質の内部のハードシェルを持つことができる。本体１の硬質のシェル３は、上部に本体のソフト外側の層の上に延長し、キャップを収容するようにねじ山を有する。ねじ山の形態の部分は、ショルダーの上に位置することができ、これは小さな直径を持つ硬質のシェルの一部である。キャップ４が本体上に位置するとき、キャップの硬質の部分５のねじ山の形態の部分５ｂ（キャップのねじ山の形態のレセプタクル）は、本体上でねじ山と補完される。また、キャップのハードシェル５は、本体の内部から下に延長してねじ山を持つ延長部５ｃを有する。これらの延長部は、噴出部６を収容し、噴出部６にねじ山の形態で付着されるように構成される。付着後に、噴出部は、アクセスホール４ａと流体疎通し、流体がキャップ４及び容器が一緒に離れることを可能にする。
【００２６】
図８に図示されたように、ハウジングは、噴出部がレセプタクル５ｃに付着されるように構成される。他の実施例において、レセプタクル５ｃは存在せず、ユーザーによって満たさなければならない一般的なカップとして、こんなおもちゃを使用する。
【００２７】
図９は、使い捨ての液体容器の側面図を図示する。この図では、液体容器の噴出部６、噴出液体の流動側面のアクセススロット６ｄ、ソフトな液体容器７、ソフトな容器の溶接されたシーム７ａ、液体容器の出荷キャップ（ｓｈｉｐｐｉｎｇｃａｐ）（捨てられるもの）２１が示される。ソフトな液体容器７は、ユーザーが液体を消耗することによって、収縮/崩壊する材料から作られる。崩壊（ｃｏｌｌａｐｓｉｎｇ）により、瓶は、消耗からもたらされる体積の減少を補償する。こんな瓶は、スタンドアローンの瓶であることができるか、または図１０に図示されたように、ハードハウジングを持つことができる。
【００２８】
図１０は、硬質のハウジングを有する使い捨ての液体容器の正面断面図を図示する。こんな図面から液体容器の噴出部６、ソフトな容器フィルムのセパレータ６ａ、噴出液体の流動側面のアクセススロット６ｄ、ソフトな液体容器７、ソフトな容器の溶接されたシーム７ａ、バルブ保持リング２０、空気のない液体１０２が示される。セパレータ６ａは、ソフトな液体容器７の長さを保持する。また、ソフトな容器の製造からもたらされることができるシーム７ａが示される。
【００２９】
図１１は、使い捨ての液体容器の正面断面図を図示する。この図では、ソフトな液体容器７と、ソフトな容器の溶接されたシーム７ａが示される。
【００３０】
図９〜図１１に示された液体容器は、スタンドアローン（ｓｔａｎｄａｌｏｎｅ）であることができるか、ペニスの形態のハウジングを持つことができる。キャップ２１は、ペニスの形態の、または他の形態のハウジングを利用するときに除去されることができる。ユーザーが吸い込むとき、ユーザーは瓶の一方向弁を駆動し、これにより液体は瓶を抜けていく。容器７は、後に収縮する。
【００３１】
図１２〜図１５及び図２７〜図２８で示されるように、液体を含む瓶は、またマネキンの空洞内部に位置することができる。空洞は、口、生殖器、膣、胸や肛門の位置に形成されることができる。図１２は、胴体のマネキンの側面図を示している。この図では、使い捨ての乳首を有する液体容器の取付キャップ（乳首）のソフトカバー（オーバーモールド）１２、マネキン１１０、マネキンの胸１１０ａ、マネキンの胸のねじ山の形態の挿入レセプタクル（取り付けｔｂｄ（未決定））１１０ｂが示されている。これらの実施例において、容器８は、マネキンの胸が、一般的に存在するマネキンの空洞に位置する。液体を保有する容器８の一部は、マネキン及び乳首１２の内部にあって、このような乳首部は、乳首の形態のキャップであり、マネキン１１０の外部にある。ユーザーが、乳首１２を吸うとき、一方向弁が開放され、容器８からの液体がキャップに入り、この後に、人の口に入る。これらの実施例において、ただ瓶の乳首部分１２がマネキン１１０の外部から見える。瓶はマネキン１１０の空洞の内部に取り外し可能に配置することができる。マネキンの胸がシリコンのようなソフトな材料で作られると、瓶のピン１１０ｂは、シリコンをプレスすることによって、瓶を安定化させる。図２７は、マネキンの頭に瓶を位置させることを示し、この場合、乳首の部分はマネキンの唇から、外に取り付けられている。瓶を位置させて除去するための空洞にアクセスするために、頭の後部からのアクセスが存在することができる。胸及び他の生殖器にも後部から同様のアクセスが存在することができる。代替的に瓶を位置させるための前面アクセスが存在することができる。瓶は、人間の部品を連想させる部材を含むアセンブリの一部として、またはスタンドアローンとして、配置することができる。例えば、瓶は人間の胸に似たソフトな材料内部に位置することができ、この後に、その内部に収容された瓶を持った人間の胸は、マネキンに取り付けられる。図２８は、人間の膣を連想させる胴体の空洞に位置する瓶を図示する。乳首の代わりに、モス（ｍｏｔｈ）をタッチするように構成された口の一部は、唇または膣であることができ、これは本体の他の部分を連想させる。
【００３２】
図１３は、マネキンの正面図を図示する。容器８は、マネキンの空洞に固定される。この図では、使い捨ての乳首の形態の液体容器の取付キャップ（乳首）ソフトカバー（オーバーモールド）１２、マネキン１１０、マネキンの胸１１０ａが示されている。人は、容器の内部の液体を飲むために乳首の形態の部分１２を吸うことができる。瓶はマネキンのデザインに応じて、前方または後方から配置することができる。容器８は、ハードシェルの有する瓶の一部として配置することができる。
【００３３】
図１４は、マネキンの胸が位置する上部の本体でマネキンの内部に位置する容器８を図示する。容器８は、マネキンの空洞に固定される。この図では、マネキンのキャップ（栓）ソフトカバー（オーバーモールド）１２のための使い捨ての乳首の形態の液体容器、短いソフトな液体容器８、及びソフトな容器の溶接されたシーム（ｗｅｌｄｅｄｓｅａｍ；８ａ）及びマネキンの胸のねじ山の形態の挿入レセプタクル（取り付けｔｂｄ）１１０ｂが示されている。
【００３４】
図１５は、使い捨ての乳首の形態の液体容器８の側断面図を図示する。この図では、キャップのハードシェル（オーバーモールド）５、キャップ液体アクセスホール５ａ、ソフトな容器の溶接されたシーム８ａ、液体容器の噴出部９、ソフトな容器フィルムのセパレータ（短い）９ａ、キャップ（乳首）のソフトカバー（オーバーモールド）１２、キャップ（乳首）のソフトカバーの液体アクセスホール１２ａ、バルブのハウジング１９、空気のない液体１０２、ソフトな容器の溶接されたシーム７ａが図示される。ソフトカバー１２は、ハードシェル５の上にオーバーモールドされることができる。ハードシェル５は、下に降りてくる延長部を有することができ、液体容器の噴出部９にねじ山の形態で除去可能に付着されるようにねじ山を有する。噴出部は、噴出部９及びセパレータ９ａを持つ単一の部品で製作されることができる。バルブのハウジング１９は、容器の内部から容器の外部に液体１０２の移動を制御するように噴出部の内部に位置されることができる。液体１０２が容器を離れることに応じて、ソフトな液体容器８は収縮する。容器８は、シーム８ａをもたらすことができるソフトな材料を溶接することにより作られることができる。また、容器８は、噴出部９に溶接されることができ、容器８を密封させるように加熱させる。
【００３５】
図１６は、液体容器の噴出部６の側面図を図示する。こんな図面は、噴出部の液体流動側面のアクセススロット６ｄ及びセパレータパンク防止の球状先端６ｓを図示する。全体の噴出部６（上部から６ｓまで）は、一般的に、プラスチックのような材料で一つの部品として製作されることができる。球状の底部６ｓは、容器がパンクされるのを最小化する。液体は、スロット６ｄを介して容器の貯蔵部を離れ、後に容器の外部に噴出部６を介して移動する。噴出部６は、図８に示されたように、キャップの堅い部分の下で延長する部材５ｃにねじ山が可能になるように付着されるために、上部にねじ山を有する。
【００３６】
図１７は、容器の噴出部６の正面断面図を図示する。比較的に小さなスロットに６ｄに付加して、噴出部６ｓは、大きなスロットに６ｗを有し、互いにほぼ同じ距離で離隔された合わせて４つのスロットを持つ。この図では、ソフトな容器フィルムのセパレータ６ａ、噴出液体の流動側面のアクセスホール６ｄ、噴出液体の流動前方/後方へのアクセススロット６ｗが示されている。また、この図面で、一方向バルブを含むバルブのハウジング１９が示されている。バルブのハウジング１９は、アクセススロット６ｄの上で、これらの間に位置し、スロット６ｗと一緒に液体が容器の内部から容器の外部に移動する唯一の通路である。
【００３７】
図１８は、容器の噴出部６の正面図を図示する。この図では、バルブ保持リング２０が示される。バルブ保持リング２０は、噴出部６でバルブアセンブリを取り付けさせて、噴出部と平行にバルブアセンブリの位置を保持させる。バルブ保持リング２０は、圧縮性リングであることができ、これは、最初に圧縮された後に噴出部６に位置し、これにより膨張及び安定されたアセンブリを形成する。こんな図面では、バルブ保持リング２０は、スロット６ｗの上部に少し見えるように位置する。また、こんな図面で、噴出部６の外部上にねじ山６ｔが示されている。ねじ山６ｔは、５ｃの内部上にねじ山と補完され、噴出部がキャップ５にねじ山の形態で付着されるように構成される。
【００３８】
図１９は、一方向弁の詳細断面図を図示する。この図では、一方向バルブの液体容器の噴出部６、バルブ（閉じる位置）１０、バルブシールのＯリング１４、バルブのハウジングシールのＯリング１５、バルブスプリング１７、バルブスプリングの保持キャップ１８、バルブのハウジング１９、バルブ保持リング２０が示されている。
【００３９】
図２０は、一方向弁の分解図を図示する。この図面で、バルブ１０、バルブシールのＯリング１４、バルブのハウジングシールのＯリング１５、バルブスプリング１７、バルブスプリングの保持キャップ１８、及びバルブのハウジング１９が示されている。ユーザーが瓶を吸ったとき、バルブ１０は、スプリング１７によって調節されながら、液体の移動のための経路を開放する。スプリング１７は、バルブ１０のステム（ｓｔｅｍ）上に位置し、バルブ１０が上に移動するにつれて、圧縮されて抵抗を提供する。ハウジング１９内にスナップされるバルブスプリング保持リング１８は、吸引力に露出されるとき、バルブ１０のステムが上にスライドされることを可能にする中央開口を有する。バルブ１０が閉じた位置にあるとき、バルブのハウジング１９及びバルブシールのＯリング１４は、液体の通路を妨げる。シールのＯリング１４は、閉じたバルブ位置で液体の通路を防ぐために、バルブ１０の底部により、陥没部（ｄｅｐｒｅｓｓｉｏｎ）に位置する。シールのＯリング１５は、ハウジング１９の外部に位置して、ハウジング１９と噴出部６との間で液体の通路を妨げる。図２０は、比較的複雑なバルブの設計を示している。さらに安くて簡単なバルブがまた利用されることができる。例えば、ミニチュア傘弁（ｍｉｎｉａｔｕｒｅｕｍｂｒｅｌｌａｖａｌｖｅ）が利用されることができる。
【００４０】
図２１は、キャップ２４が所定の位置に置かれた状態のベビー哺乳瓶のアセンブリの正面図を示している。この図では、ベビー哺乳瓶のハウジング２１、乳首のハウジングのクロージャ（ｎｉｐｐｌｅｈｏｕｓｉｎｇｃｌｏｓｕｒｅ；２２）及び乳首の保護キャップ２４を備えたベビー哺乳瓶が示されている。
【００４１】
図２２は、図２１のベビー哺乳瓶のアセンブリの側断面図を図示する。この図では、液体容器の噴出部６、ソフトな容器フィルムのセパレータ６ａ、噴出部の取り付けネジ６ｔ、バルブのハウジング１９、ベビー哺乳瓶のハウジング２１、ベビー哺乳瓶のハウジングのクロージャの取り付けねじ山２１ａ、ベビー哺乳瓶のハウジングの空気交換ホール２１ｂ、乳首哺乳瓶のハウジングのクロージャ２２、乳首哺乳瓶のハウジングのクロージャのねじ山２２ａ、乳首２３、乳首液体容器の噴出部のねじ山の形態のレセプタクル２３ａ、乳首噴出部レセプタクルのねじ山２３ｂ、乳首取り付けフランジ２３ｃ、乳首保護キャップ２４、乳首保護キャップの止め輪２４ａ、ソフトな液体容器２５、ソフトな液体容器２５ｃ、空気のない液体１０２が示されている。図２２で哺乳瓶の構成は、硬質のベビー哺乳瓶のハウジング２１の追加を除いては、図１５のものと類似している。空気のない容器の利用は、ベビーによる空気の吸入を最小化し、ベビーをげっぷをさせるための必要性を減少させることができる。
【００４２】
図２３は、崩壊した最小の大きさでベビー哺乳瓶の空気のない流体容器の正面図を示し、この図では、液体容器の噴出部６、ソフトな容器フィルムのセパレータ６ａ、ソフトな液体容器２５、ソフトな容器の溶接されたシーム２５ｃが示されている。
【００４３】
図２４は、ベビー哺乳瓶の液体容器の側面図を図示する。この図では、すべての液体は、消耗されたものである。液体を持っていない崩壊された最小体積の液体容器の噴出部６、ソフトな容器フィルムのセパレータ６ａ、ソフトな液体容器２５、及びソフトな容器の溶接されたシーム２５ｃが示されている。
【００４４】
図２５は、両側面に沿って、セパレータ６ａによって生成された液体流動空間１０２を示す正面図の水平方向の断面図を示し、液体容器の噴出部６、ソフトな容器フィルムのセパレータ６ａ、ソフトな液体容器２５、ソフトな容器の溶接されたシーム２５ｃ、前方のソフトな容器フィルム２５ｄ、後方のソフトな容器フィルム２５ｅ、及び空気のない液体１０２が示されている。この図面は、液体が消耗されたとき、容器フィルム２５ｄを示している。前方/後方スロット６Ｗがカバーされたとき、側面スロット６ｄは、依然として開放されており、液体の移動を可能にすることができる。
【００４５】
図２６は、噴出部の側面のスロットの近く及び遠くの側面を介して（図示されたものを遠い側とする）、液体が流動することを図示する正面図の部分的な垂直断面図を図示する。この図では、液体容器の噴出部６、ソフトな容器フィルムのセパレータ６ａ、噴出液体の流動側面のアクセススロット６ｄ、ソフトな液体容器２５、及びソフトな容器の溶接されたシーム２５ｃが示されている。前方/後方スロット６ｗがカバーされるとき、側面のスロット６ｄは、依然として開放されており、液体の移動を可能にすることができる。
【００４６】
図２７は、瓶を位置させるために、内部に空洞を備えた女性マネキンの頭部を図示する。これらの瓶は、空洞の内部に頭の後方から配置することができる。瓶の乳首は露出されることができ、マネキンの口の開口を介して接近可能である。ユーザーはマネキンの唇に自分の唇をあてて乳首から液体を吸引することができる。
【００４７】
図２８は、瓶を位置させるために、内部に空洞を持つ女性マネキンの体を図示する。瓶は、空洞の内部に体の後方から配置することができる。瓶の乳首は露出されることができ、マネキンの膣の開口を介して接近可能である。ユーザーはマネキンの膣に対して唇をあてて瓶の乳首から液体を吸引することができる。
【００４８】
図２９は、吸入のための乳首の代わりに唇を持つ瓶を図示する。瓶はマネキンに位置されることができ、マネキンの唇または他の部分（膣）を形成することができる。ユーザーはマネキンの唇に対して唇を位置させて飲用することができる。
【００４９】
図３０は、瓶を位置させるために、内部に空洞を備えた男性マネキンの頭部を図示する。瓶は、空洞の内部で頭の後方から配置されることができる。これらのペニスの形状の例では、瓶は、マネキンの口の開口から少なくとも１インチほど、外に露出される。ユーザーは瓶に対して唇をあてて瓶から液体を飲用することができる。
【００５０】
図３１は、瓶を位置させるために、内部に空洞を持つ男性マネキンの胴体を図示する。これらのペニスの形態の例では、瓶は、マネキンの生殖器区域の開口から少なくとも１インチほど、外に露出される。ユーザーは瓶に対して唇をあてて瓶から液体を飲用することができる。
【００５１】
図３２は、シャフト２９、底部キャップ３１、一方向バルブのアセンブリ１１１、ライナーカップ１１２及びキャップ（亀頭）３０を備えた大人のおもちゃの等測軸分解図である。シャフト２９と底部キャップ３１は、ポリプロピレン（ｐｐ）で作られることができる。ユーザーは、カップ１１２で、目的の液体を入れて、キャップ３０の開口から液体を飲むことができる。ライナーカップ１１２は、シャフト２９上に位置するフランジ部を持って、一方向バルブのアセンブリ１１１は、ライナーカップ１１２のフランジ上に位置する。ユーザーは、液体でカップ１１２を満たし、その上にバルブアセンブリ１１１を位置させた後、ねじ山キャップ３０をねじ込む。ユーザーは、また、バルブ１１１なしに、これらの実施例を利用することができ、この場合にカップ１１２からの液体は、正しくキャップ３０に流れ、バルブ１１１を通過していないまま、外部に流れる。
【００５２】
図３３は、すべての構成要素が所定の位置に置かれている形態の図３２の形態の正面側面図を図示する。この図では、シャフト２９、キャップ（亀頭）３０、底部キャップ３１、底部キャップの節（ｋｎｕｒｌ）３１ｂ、及びキャップ本体のスプリットライン１００が示されている。
【００５３】
図３４は、図３３の形態の断面図を図示する。この図面では、シャフト２９、シャフトキャップのねじ山２９ａ、シャフトの底部キャップのねじ山２９ｂ、キャップバルブアセンブリのレセプタクル３０ａ、キャップの液体排出口３０ｃ、底部キャップ３１、底部キャップのシャフトねじ山３１ａ、底部キャップの空気ベント（ｖｅｎｔ）３１ｃとバルブシャーシ３３が示されている。カップ１１２（ラベル）は、シャフト２９のねじ山の形態の部分の上に置かれるフランジ部を有している。カップ１１２の内部の液体は、バルブ１１１と流体疎通する。
【００５４】
図３５は、シャフト２９、キャップ（亀頭）３０、底部キャップ３１とキャップ本体のスプリットライン１００を備えた実施例の他の側面を示している。
【００５５】
図３６は、図３５の側面図のＡ-Ａ断面図を示している。この図面では、シャフト２９、材料のキャップ（亀頭）３０、キャップバルブアセンブリのレセプタクル３０ａ、キャップ液体排出のライナーフランジ３２ａ（密閉剤として、アイテム３０キャップクロージャを介して、アイテム３３及びアイテム２９との間で圧縮される）、薄いソフトなライナー膜（伸びない例として、０.０８ｍｍの薄膜）３２ｂ、バルブアセンブリのシャーシ３３、Ｏリングシーラー（ｓｅａｌｅｒ）３４（密閉剤として、アイテム３０ａ、３３との間で圧縮される）、傘弁（弾性）３５、傘取り付け保持器（ｋｅｅｐｅｒ）（弾性）３５ｋが示されている。
【００５６】
図３７は、図３５のＢ-Ｂ断面を図示し、これはシャフト２９の側面、底面部キャップ３１、及び底部キャップの空気ベント３１ｃを示している。キャップ３１は、シャフト２９にねじ山の形態で付着され、シャフトの内部への接近が必要か、または洗浄する必要があるときに除去されることができる。液体がシャフトを離れるとき、ベント３１ｃは、シャフトの内部への空気の移動を可能にする。
【００５７】
図３８は、バルブアセンブリのＯリングシーラー３４（密閉剤として、アイテム３０ａ、３３との間で圧縮される）の側面図を図示する。
【００５８】
図３９は、傘弁（弾性）３５とバルブアセンブリのシャーシ３３を備えたバルブアセンブリの平面図を示している。
【００５９】
図４０は、バルブステム（弾性）３５ｓ、バルブアセンブリの液体入口３３ｉ、バルブアセンブリのシャーシの液体流動ホール３３ｈ、バルブアセンブリのシャーシ３３を備えたバルブアセンブリの底面図を図示する。
【００６０】
図４１は、バルブアセンブリのシャーシ３３、バルブアセンブリのシャーシ流動ホール３３ｈ、傘弁取り付け穴３３ｖ、Ｏリングシーラー３４（密閉剤として、アイテム３０ａ、３３との間で圧縮される）、傘弁（弾性）３５とバルブステム（弾性）３５ｓを備えた一方向バルブのアセンブリ１１１の等測軸分解図を図示する。
【００６１】
図４２は、バルブアセンブリのシャーシ３３、Ｏリングシーラー（密閉剤として、アイテム３０ａ、３３との間で圧縮される）３４、及び傘弁（弾性）３５を備えたバルブアセンブリの等測軸図を図示する。
【００６２】
図４３は、バルブアセンブリのシャーシ３３、シャーシのＯリングの溝３３ｇ、バルブアセンブリのシャーシ液体流動ホール３３ｈ、バルブアセンブリの液体入口３３ｉ、傘弁取り付け穴３３ｖ、Ｏリングシーラー３４（密閉剤として、アイテム３０ａ、３３との間で圧縮される）、傘弁（弾性）３５、傘弁取り付け保持器（弾性）３５ｋ、バルブステム（弾性）３５ｓ、及び一般的に閉じた傘弁シート１１５を備えた図３９のバルブアセンブリの平面図の断面を示している。
【００６３】
図４４は、一般的に閉じた位置のバルブのおもちゃの断面図を図示する。こんな図面は、シャフト２９、材料のキャップ（亀頭）３０、キャップ液体排出口３０ｃ、底部キャップ３１、底部キャップの空気ベント３１ｃ、薄いソフトなライナー膜（吸入がない場合、完全な容量を持つ）３２ｂ、バルブアセンブリのシャーシ３３、空気のない液体１０２、及び傘弁シート（ｓｅａｔ）１１５（吸引力がない場合は、一般的に閉じた位置にある）を示している。
【００６４】
図４５は、ユーザーの口の吸引によって開放された位置にあるバルブを備えたおもちゃの断面図を図示する。カップ１０１が、液体の損失を補償するように崩壊されることによって、液体１０２は、カップ１０１を抜けていく。液体１０２は、開放位置から一方向弁を通過し、キャップ３０ｃ上の開口から外に出てくる。こんな図面では、キャップ液体排出口３０ｃ、底部キャップ３１、底部キャップの空気ベント３１ｃ、吸入されたときに崩壊される薄いソフトなライナー膜３２ｂ、バルブアセンブリのシャーシ３３、空気のない液体１０２、ユーザの口の吸引によって開放された傘弁シート１１６が示されている。カップ１０１は、再利用可能であり、または使い捨てであることができる。
【００６５】
図４６は、閉じた位置でバルブアセンブリの等測軸図を図示する。これらの図において、バルブアセンブリのシャーシ３３、バルブアセンブリのシャーシ液体流動ホール３３ｈ、傘弁（弾性）３５、及び一般的に閉じた傘弁シート１１５が示されている。
【００６６】
図４７は、開放位置のバルブアセンブリの等測軸図を図示する。こんな図面でバルブアセンブリのシャーシ３３、バルブアセンブリのシャーシ液体流動ホール３３ｈ、傘弁（弾性）３５と、ユーザーの口の吸引によって開放された傘弁シート１１６が示されている。
【００６７】
図４８及び４９は、ユーザーの必要に応じて液体を満たしたペニスの形態のカップを図示する。図４８及び４９は、亀頭の形態のキャップを備えた一直線容器を示している。キャップは、容器を満たすように、オンとオフにねじ込まれることができる。ユーザーは、口に亀頭の形態のキャップを位置させ、キャップの内側のチャネルを介して、液体を吸引することができる。チャンネルは、亀頭の内部に完全に位置することができ、チャンネルの開口のみが外部に露出することができる。チャンネルは、液体の流動を防ぐプラグ３６をさらに持つことができる。プラグ３６のステップは、除去のために、外部上のハンドル部及びチャネル内部のチャンネルに位置することができる。亀頭全体は、キャップを形成することができ、下の容器は、ほぼ直線のシリンダーである。亀頭部は、満たされることができ、チャンネルは切られた管状のチャネルで存在し、これは直線であり、１ｃｍ未満の直径を有する。おもちゃは、亀頭のような形のキャップが口に位置するか、または少なくとも口との接触を形成するように構成される。この実施例で図示された単一層のハウジングは、前記説明した実施例と一緒に利用されることができる。
【００６８】
図５０〜図５６は、液体を飲むためのマネキンシステムを図示する。瓶はマネキンでどこでも配置することができる。図５６に示したように、瓶は乳首後の垂直な位置に位置する。液体の移動を向上させるためには、瓶は裏返されたり、または水平の位置に配置することができる。瓶と流体疎通する管材は、乳首、口、または生殖区域の開口のようなマネキンの開口と接続されることができる。これらの実施例において、ユーザーが瓶から液体を吸引することができる間、開口から離れた位置に、瓶が位置することができる。図５１は、瓶の断面を示している。これらの実施例は、ユーザーが希望する任意の液体が満たすことができる、ライナー３０を持つ詰め替え可能な瓶を示している。一般的に、フランジ部を有するライナーは、シャフトの内部に位置し、ライナーのフランジは、シャフト２９上に位置する。クロージャアダプタ３７は、シャフト２９にねじ込まれることができる。クロージャアダプタは、またバルブアセンブリのシャーシ３３に付着されることができる。アダプタ３７は、ソフトな管材１１７の乳首４０に付着することができる。乳首は、グルー（ｇｌｕｅ）、スナップメカニズムは、他のメカニズムまたは管材１１７を介して、空洞で所定の位置に支持されることができる。図５３及び５４は、瓶の部品とソフトな管材を示している。
【００６９】
図５０は、マネキン（胸の乳首の接続部が図示される）のための接続部のためのソフトな管材を備えた容器の側面図を図示する。こんな図面では、例えばポリプロピレン（ｐｐ）のような材料でできたシャフト２９、例えば、ポリプロピレン（ｐｐ）のような材料でできた底部キャップ３１、例えば、ポリプロピレン（ｐｐ）と同じ材料でできたクロージャアダプタ３７、ソフトな管材接続部３８、ソフトな管材にバーブ（ｂａｒｂ）された継手（ｆｉｔｔｉｎｇ）３９、及びマネキンの胸の乳首（乳輪コック示されて）４０が示されている。ソフトな管材接続部３８は、少なくとも１ｃｍの長さ、または少なくとも２、３、４、５、６、７、８、または９ｃｍの長さや、その間の長さであることができる。
【００７０】
図５１は、図５０の断面図を図示する。こんな図面では、例えばポリプロピレン（ｐｐ）のような材料でできたシャフト２９、フランジされたソフトなライナー３０は、例えば、ポリプロピレン（ｐｐ）のような材料でできた底部キャップ３１、バルブアセンブリのシャーシ３３、Ｏリングシーラー（密閉剤として、アイテム３０ａ、３３との間で圧縮される）３４、ソフトな管材接続部３８、ソフトな管材にバーブされた継手３９、マネキンの胸の乳首（乳輪＋乳首が示される）４０、マネキンの胸１１０ａ、及び管材を保持ループ１１７が示されている。
【００７１】
図５２は、マネキンのペニスのための容器/アダプタの等測軸図を図示する。この図面では、例えば、ポリプロピレン（ｐｐ）のような材料でできたシャフト２９、例えば、ポリプロピレン（ｐｐ）のような材料でできたクロージャアダプタ３７、ソフトな管材接続部３８、ソフトな管材にバーブされた継手３９、及びマネキンの胸の乳首（乳輪＋乳首が示される）４０が示されている。
【００７２】
図５３は、容器アセンブリの前面分解図を図示する。この図面では、例えばポリプロピレン（ｐｐ）のような材料でできたシャフト２９、フランジされたソフトなライナー３０は、例えば、ポリプロピレン（ｐｐ）のような材料でできた底部キャップ３１は、例えば、ポリプロピレン（ｐｐ）のような材料でできたクロージャアダプタ３７、ソフトな管材接続部３８、ソフトな管材にバーブされた継手３９、マネキンの胸の乳首（乳輪＋乳首が示される）４０ 、一方向バルブのアセンブリ１１１と管材マネキンループ１１７が示されている。一方向バルブのアセンブリ１１１は、クロージャアダプタ３７の内部にフィッティングされる。
【００７３】
図５４は、図５３の部分断面図を図示する。この図では、例えば、ポリプロピレン（ｐｐ）のような材料でできたクロージャアダプタ３７、バルブアセンブリ、アイテム１１１レセプタクル３７ａ、クロージャアダプタにバーブされたノズル３７ｂ、チューブ保持器のバーブ３７ｃ、クロージャアダプタ、液体排出口３７ｄ、クロージャアダプタの取り付けねじ山３７ｅ、ソフトな管材接続部３８、ソフトな管材にバーブされた継手３９、チューブ保持器バーブ３９ａ、チューブ端部ストップ（ｔｕｂｅｅｎｄｓｔｏｐ）３９ｂ、マネキンの胸の乳首（乳輪＋乳首が示される）４０、マネキンの胸の乳首のコネクタレセプタクル４０ａ、マネキンの胸の乳首液体排出口４０ｂ、マネキンの胸１１０ａ、及び管材を保持ループ１１７が示されている。
【００７４】
図５５は、マネキン正面図を示している。この図面で補充可能な乳首の形態の液体容器取付市され、例えば、ポリプロピレン（ｐｐ）のような材料でできたシャフト２９、ソフトな管材バーブされた継手３９、マネキンの胸の乳首（乳輪＋乳首が示されて）４０、マネキン１１０、マネキンの胸１１０ａと、液体容器の交換アクセスホール１１０ｈが示されている。
【００７５】
図５６は、マネキンの側面図を示している。この図面で補充可能な乳首の形態の液体容器取付が図示され、例えば、ポリプロピレン（ｐｐ）のような材料でできたシャフト２９、ソフトな管材バーブされた継手３９、マネキンの胸の乳首（乳輪＋乳首が示される）４０、マネキン１１０、マネキンの胸１１０ａ、及び液体容器の交換アクセスホール１１０ｈ、及び管材を保持ループ１１７が示されている。
【００７６】
図５７〜図５９は補充可能なベビー哺乳瓶を図示する。ソフトなライナー４２は、ベビー容器４１の内部に位置する。ソフトなライナー４２は、ベビー容器４１上に位置することができるフランジ部を有している。ディスクの一側部から上に突出する中央部及びディスク形状を有するバルブシャーシ４２は、ソフトなライナー４２の上に位置する。傘弁（弾性）３５は、バルブのシャーシ４３の突出部に位置することができる。ベビー哺乳瓶乳首４４は、バルブのシャーシ４３の上に位置し、乳首のバルブシャーシ保持リング４４ｂに付着することができる。ベビー哺乳瓶クロージャ４５は、ベビー哺乳瓶乳首４４の周囲に配置され、ねじ山の形態でベビー容器４１に付着することができる。
【００７７】
図５７は、詰め替え可能なベビー哺乳瓶のアセンブリの正面図を図示する。この図では乳首の保護キャップ２４、ベビー哺乳瓶容器４１とベビー哺乳瓶のクロージャ４５が示されている。
【００７８】
図５８は、ベビー哺乳瓶のアセンブリの側断面図を図示する。この図では、乳首の保護キャップ２４、乳首保護キャップの止め輪２４ａ、傘弁（弾性）３５、バルブステム（弾性）３５ｓ、ソフトなライナー４２、ソフトなライナーフランジ４２ａ、一方向バルブシャーシ４３、バルブシャーシ乳首保持リング４３ａ、ベビー哺乳瓶の乳首４４、乳首バルブシャーシレセプタクル４４ａ、乳首バルブシャーシ保持リング４４ｂ、乳首４４ｃ、液体排出口４４ｄ、ベビー哺乳瓶の乳首フランジ４４ｅ、ベビー哺乳瓶のクロージャ４５、完全な容量の空気のないライナー１１８と崩壊した空いた空気のないライナー１１９が示されている。
【００７９】
図５９は、ベビー哺乳瓶のアセンブリの等測軸分解図を図示する。この図では、乳首の保護キャップ２４、傘弁（弾性）３５、ベビー哺乳瓶容器４１、ソフトなライナー４２、一方向バルブシャーシ４３、ベビー哺乳瓶乳首４４とベビー哺乳瓶のクロージャ４５が提供される。
【００８０】
図６０は、化学的に結合されたシリコンオーバーモールドを備えた容器ハウジングの側面図を図示する。シリコンオーバーモールドは、１ｍｍ乃至３ｍｍの厚さを持って、外部面に位置する。この図では、シャフト、シリコンオーバーモールド２９ｄ、亀頭、シリコンオーバーモールド３０ｄ、シリコンシールのガスケット４６、及び底部キャップ４７ｄが示されている。
【００８１】
図６１は、図６０の断面図を図示する。この図面では、例えば、ウルテム（ＰＥＩ）材料からなるシャフト２９、シリコンオーバーモールド２９ｄは、例えば、ウルテム（ＰＥＩ）材料からなる亀頭３０、シリコンオーバーモールド３０ｄ、シリコンシールのガスケット４６は、例えば、ウルテム（ＰＥＩ）材料からなる底部キャップ４７、及びシリコンオーバーモールド４７ｄが示されている。
【００８２】
図６２は、シリコンオーバーモールドされた亀頭３０ｄの等測軸図を図示する。
【００８３】
図６３は、シリコンオーバーモールドされたシャフトの等測軸図を図示する。この図では、例えば、ウルテム（ＰＥＩ）材料からなるシャフト２９、シリコンオーバーモールド２９ｄが示されている。
【００８４】
図６４は、シリコンオーバーモールドされた底部キャップ/バルブアセンブリの等測軸図を図示する。この図では、シリコンシールのガスケット４６は、例えば、ウルテム（ＰＥＩ）材料からなる底部キャップ４７と、シリコンオーバーモールド４７ｄが示されている。
【００８５】
図６５は、装着された伸張可能な上部保護キャップを備えた大人のおもちゃの正面図を図示する。この図面では、例えばポリプロピレン（ｐｐ）材料からなるシャフト２９、例えば、ウルテム（ＰＥＩ）材料からなる底部キャップ４７、例えば、医療用材料からなる伸長可能な保護カバー４９及び堅いグリップのための保護カバーの伸長されたスカート４９ｂが示されている。
【００８６】
図６６は、図６５の断面図を図示する。この図では、ポリプロピレン（ｐｐ）材料からなるシャフト２９は、例えば、ウルテム（ＰＥＩ）材料からなる亀頭３０、薄いソフトなライナー膜（伸張できない例えば、０.０８ｍｍの薄膜）３２ｂ、バルブアセンブリのシャーシ３３、傘弁（弾性）３５、シリコンシールのガスケット４６、例えば、ウルテム（ＰＥＩ）材料からなる底部キャップ４７、空気吸入傘弁４８、例えば、医療用材料からなる伸長可能な保護カバー４９及び堅いグリップのための保護カバーの伸長されたスカート４９ｂが示されている。
【００８７】
図６７は、装着された保護キャップを持つ大人のおもちゃの側面等測軸図を図示する。この図面では、例えばウルテム（ＰＥＩ）材料からなる底部キャップ４７と、例えば医療用シリコン材料からなる伸長可能な保護カバー４９が示されている。
【００８８】
図６８は、伸張可能な保護カバーの側面図を図示する。この図面では、例えば医療用シリコン材料からなる伸長可能な保護カバー４９と堅い取り付けグリップのためのサイズの下にある伸張可能な保護カバーのスカート４９ｂが示されている。
【００８９】
図６９は、伸張可能な保護カバーの底面図を図示する。この図面では、例えば医療用シリコン材料からなる伸長可能な保護カバー４９と堅い取り付けグリップのためのサイズの下にある伸張可能な保護カバースカート４９ｂが示されている。
【００９０】
図７０は、底部キャップ/バルブアセンブリの底面図を図示する。この図面では、例えばウルテム（ＰＥＩ）材料からなる底部キャップ４７、吸引ホール４７ａと吸気傘弁ステム４８ｂが示されている。
【００９１】
図７１は、底部キャップ/バルブアセンブリの等測軸平面図を図示する。この図では、シリコンシールのガスケット４６は、例えば、ウルテム（ＰＥＩ）材料からなる底部キャップ４７と、空気吸入傘弁４８が示されている。
【００９２】
図７２は、底部キャップ/バルブアセンブリの分解図を図示する。この図面では、例えばウルテム（ＰＥＩ）材料からなる底部キャップ４７と吸気傘弁４８が示されている。
【００９３】
図７３は、底部キャップ/バルブアセンブリの平面図を図示する。この図面では、例えばウルテム（ＰＥＩ）材料からなる底部キャップ４７と、空気吸入傘弁４８が示されている。
【００９４】
図７４は、図７３の断面図である。この図では、シリコンシールのガスケット４６、傘弁ステム保持器４８ｋと、一般的に、閉じた吸気傘弁１２１が示されている。
【００９５】
図７５は、大人のおもちゃアセンブリの側面図を図示する。この図面では、例えばポリプロピレン（ｐｐ）材料からなるシャフト２９と、例えばウルテム（ＰＥＩ）材料からなる亀頭３０が示されている。
【００９６】
図７６は、図７５の断面図を図示する。この図面では、例えばポリプロピレン（ｐｐ）材料からなるシャフト２９は、例えば、ウルテム（ＰＥＩ）材料からなる亀頭３０、シリコンシールのガスケット４６は、例えば、ウルテム（ＰＥＩ）材料で行われた底部キャップ４７は、液体流動方向１０１は、完全な容量の空気のないライナー１１８、崩壊された空いた空気のないライナー１１９、空気吸入１２０と、ユーザーの口の液体の吸引によって生成された真空によって開放された吸気傘弁シート１２２が示されている。
【００９７】
図７７〜図８８は、スプリングバルブが傘弁の代わりに使用することができる実施例を示している。スプリングバルブは、液体の流れを調節するために、上部に使用することができ、他のスプリングが容器の内部に空気の流れを制御するために、底部に使用することができる。スプリングは、同じまたは異なるｋ定数の値を持つことができる。例えば、液体の流動を調節するバルブのためのスプリングは、より高い、またはより低いｋ定数の値を持つことができる。二つのバルブは、スプリングのｋ定数値に対するものと異なるように同じことができる。
【００９８】
図７７は、外部のねじ山の形態のシャフトを備えた容器ハウジングの平面図を図示する。この図面では、例えば、ウルテム（ＰＥＩ）材料からなる亀頭３０、外部にねじ山の形態のフランジされたシャフト５０、底部キャップのスプリングバルブのハウジング５１、底部キャップグリップの節５１ａ、キャップ本体のスプリットライン１００、亀頭/スプリングバルブサブ - アセンブリ１２３と底部キャップ/スプリングバルブのサブアセンブリ１２４が示されている。
【００９９】
図７８は、外部のねじ山の形態のシャフトを備えた容器ハウジングの平面側断面図を図示する。この図面では、例えば、ウルテム（ＰＥＩ）材料からなる亀頭３０、キャップバルブアセンブリのレセプタクル３０ａ、キャップ液体排出口３０ｃ、キャップ液体排出口３０ｇ、ライナーフランジ（密閉剤として、アイテム３０キャップクロージャを介してアイテム３３とアイテム２９との間で圧縮される）、薄いソフトなライナー膜（伸縮性を持たない、例えば、０.０８ｍｍの薄膜）３２ｂ、外部のねじ山の形態のフランジシャフト５０、底部キャップのスプリングバルブのハウジング５１、空気入口５１ｃ、空気排出口５１ｄ、底部キャップシールのＯリング５２、ライナークロージャシールのシリコンワッシャ５３、チェックバルブのカートリッジハウジング５４、スプリングバルブシールのＯリング（２ｐｃｓ）５５と保持ワッシャーでのプレス５９が示されている。
【０１００】
図７９は、外部ねじ山の形態のシャフトを備えた容器ハウジングの等測軸分解図を図示する。この図面では、例えば、ウルテム（ＰＥＩ）材料からなる亀頭３０、キャップ液体排出口３０ｃ、キャップ液体排出口３０ｇ、ライナーフランジ３２ａ（密閉剤として、アイテム３０キャップクロージャを介してアイテム３３とアイテム２９との間で圧縮されて）、薄いソフトなライナー膜（伸縮性を持たない、例えば、０.０８ｍｍの薄膜）３２ｂ、外部ねじ山の形態のフランジシャフト５０、フランジ５０ａ、外部の底部キャップのねじ山５０ｂ、外部の上部キャップのねじ山５０ｃ、底部キャップのスプリングバルブのハウジング５１、底部キャップのスプリングバルブのレセプタクル５１ａ、空気排出口５１ｄ、底部キャップシールのＯリング５２、亀頭/スプリングバルブのサブアセンブリ１２３、底部キャップ/スプリングバルブのサブアセンブリ１２４が示されている。
【０１０１】
図８０は、亀頭のスプリングバルブのアセンブリの等測軸分解図を図示する。この図では、例えば、ウルテム（ＰＥＩ）材料からなる亀頭３０、ライナークロージャシールのシリコンワッシャ５３、チェックバルブのカートリッジのハウジング５４、スプリングバルブシールのＯリング（２ｐｃｓ）５５、保持ワッシャーでのプレス５９、亀頭/スプリングバルブのサブアセンブリ１２３は、予めに製造されたスプリングチェックバルブのカートリッジ１２５が示されている。
【０１０２】
図８１は、亀頭のスプリングバルブのアセンブリの側断面図を図示する。この図面では、例えば、ウルテム（ＰＥＩ）材料からなる亀頭３０、キャップバルブのアセンブリのレセプタクル３０ａ、ライナークロージャシールのシリコンワッシャ５３、チェックバルブのカートリッジのハウジング（スプリングバルブのハウジング）５４、スプリングバルブシールのＯリング（２ｐｃｓ）５５、保持ワッシャーのプレス（ｐｒｅｓｓｉｎｒｅｔａｉｎｅｒｗａｓｈｅｒ）５９、及び亀頭/スプリングバルブのサブアセンブリ１２３が示されている。
【０１０３】
図８２は、底部のキャップのスプリングバルブのアセンブリの等測軸分解図を図示する。図８２は、底部キャップのスプリングバルブのハウジング５１、チェックバルブのカートリッジのハウジング５４、保持ワッシャーのプレス５９と底部キャップ/スプリングバルブのサブアセンブリ１２４を示す。
【０１０４】
図８３は、底部のキャップのスプリングバルブのアセンブリの側断面図を図示する。この図では、底部キャップのスプリングバルブのハウジング５１、底部キャップのスプリングバルブのレセプタクル５１ａ、チェックバルブのカートリッジのハウジング５４、保持ワッシャーのプレス５９、底部キャップ/スプリングバルブのサブアセンブリ１２４が示されている。
【０１０５】
図８４は、スプリングバルブのアセンブリ（例えば、カリフォルニア州モーガンヒルに位置するスマートプロデュース社の予めに製造されたカートリッジバルブ部品Ｎｏ.１３２）の等測軸分解図を図示する。この図では、チェックバルブのカートリッジのハウジング５４、スプリングバルブシールのＯリング（２ｐｃｓ）５５、バルブプランジャー（ｐｌｕｎｇｅｒ）５６、バルブシートＯリング５７、バルブ圧縮スプリング５８及びバルブアセンブリ１２５が示されている。
【０１０６】
図８５は、閉じた位置のスプリングバルブのアセンブリの等測軸図を図示する。この図では、チェックバルブのカートリッジのハウジング５４、スプリングバルブシールのＯリング（２ｐｃｓ）５５、バルブプランジャー５６とバルブ圧縮スプリング５８が示されている。
【０１０７】
図８６は、閉じた位置のスプリングバルブの断面を図示する。この図では、チェックバルブのカートリッジのハウジング５４、スプリングバルブシールのＯリング（２ｐｃｓ）５５、バルブプランジャー５６、バルブシートＯリング５７とバルブ圧縮スプリング５８が示されている。
【０１０８】
図８７及び図８８は、開放された位置のスプリングバルブのアセンブリの等測軸図を図示する。この図では流動方向６０が示されている。
【符号の説明】
【０１０９】
１  本体のソフトカバー（オーバーモールド）
１ａ  取り付け吸盤（装着吸盤）
１ｂ  本体ハウジングのソフトシェルの空気交換ホール
２  本体ハウジングのハードシェル（オーバーモールド）
２ａ  本体ハウジングのハードシェルの空気交換ホール
２ｂ  キャップ本体のスプリットライン
３  本体ハウジングのキャップのハードシェル（オーバーモールド）
３ａ  本体ハウジングのキャップの止め輪
３ｂ  本体ハウジングのキャップスナップ反りスロット
４  キャップ（亀頭）のソフトカバー（オーバーモールド）
４ａ  キャップ（亀頭）のソフトカバーの液体アクセスホール
５  キャップのハードシェル（オーバーモールド）
５ｂ  キャップねじ山の形態のレセプタクル、再利用可能なベース
５ｃ  キャップねじ山の形態のレセプタクル、使い捨て液体容器
６  液体容器の噴出部
６ａ  ソフトな容器フィルムのセパレータ
６ｄ  噴出部の液体流動側面のアクセススロット
６ｓ  セパレータパンク防止の球状のヒント
６ｔ  ねじ山
６ｗ  噴出部の液体流動前方/後方へのアクセススロット
７  ソフトな液体容器
７ａ  ソフトな容器の溶接されたシーム
８  短くソフトな液体容器
８ａ  ソフトな容器の溶接されたシーム
９  液体容器の噴出部
９ａ  ソフトな容器フィルムセパレータ（短い）（ｓｈｏｒｔ）
１０  バルブ
１２  キャップ（乳首）のソフトカバー（オーバーモールド）
１２ａ  キャップ（栓）ソフトカバーの液体アクセスホール
１４  バルブシールのＯリング（ハウジング内部）
１５  バルブのハウジングシールのＯリング（ハウジング外部）
１７  バルブスプリング
１８  バルブスプリング保持キャップ
１９  バルブのハウジング
２０  バルブ保持リング
２１  液体容器の出荷キャップ（捨てるもの）
２４  乳首の保護キャップ
２６  底部容器
２７  ねじ山の形態のクロージャ
２８  ねじ山の形態のクロージャプラグ
２９  例えば、ポリプロピレン（ｐｐ）材料からなるシャフト
２９ｄ  シリコンオーバーモールドシャフト
３０  例えば、ウルテム（ＰＥＩ）材料からなる亀頭
３０ａ  キャップバルブアセンブリのレセプタクル
３０ｃ  キャップ液体排出口
３０ｄ  シリコンオーバーモールド亀頭
３０ｇ  キャップ液体排出口
３１  例えば、ポリプロピレン（ｐｐ）材料からなる底部キャップ
３１ａ  底部キャップシャフトねじ山
３１ｂ  底部キャップの節（ｋｎｕｒｌ）
３１ｃ  底部キャップの空気ベント（ｖｅｎｔ）
３２ａ  ライナーフランジ（密閉剤として、アイテム３０キャップクロージャを介してアイテム３３とアイテム２９との間で圧縮される）
３２ｂ  薄くソフトなライナー膜（伸縮性を持たず、例えば、０.０８ｍｍの薄膜）
３３  バルブアセンブリのシャーシ
３３ｈ  バルブアセンブリのシャーシの液体流動ホール
３３ｉ  バルブアセンブリの液体入口
３３ｇ  シャーシのＯリング溝
３３ｖ  傘弁取り付け穴
３４Ｏリングシーラー（密閉剤として、アイテム（３０ａ、３３）との間で圧縮されて）
３５  傘弁（弾性）
３５ｋ  アンブレラ取り付け保持器（弾性）
３５ｓ  バルブステム（弾性）
３６  プラグ
３７  例えば、ポリプロピレン（ｐｐ）材料からなるクロージャアダプタ
３７ａ  バルブアセンブリ、アイテム１１１のレセプタクル
３７ｂ  クロージャアダプタバーブ（ｂａｒｂｅｄ）ノズル
３７ｃ  チューブ保持器バーブ（ｔｕｂｅｋｅｅｐｅｒｂａｒｂ）
３７ｄ  クロージャアダプタ、液体排出口
３７ｅ  クロージャアダプタの取り付けねじ山
３８  ソフトな管材接続部
３９  ソフトな管材のバーブの継手（ｆｌｅｘｉｂｌｅｔｕｂｉｎｇｂａｒｂｅｄｆｉｔｔｉｎｇ）
３９ａ  チューブ保持器バーブ
３９ｂ  チューブ端部ストップ（ｔｕｂｅｅｎｄｓｔｏｐ）
４０  マネキンの胸の乳首（乳輪＋乳首が示される）
４０ａ  マネキンの胸の乳首のコネクタのレセプタクル
４０ｂ  マネキンの胸の乳首の液体排出口
４１  ベビー哺乳瓶容器
４２  ソフトなライナー
４２ａ  ソフトなライナーフランジ
４３  一方向バルブシャーシ
４３ａ  バルブシャーシ乳首保持リング
４４  ベビー哺乳瓶の乳首
４４ａ  乳首バルブシャーシレセプタクル
４４ｂ  乳首バルブシャーシ保持リング
４４ｃ  乳首
４４ｄ  液体排出口
４４ｅ  ベビー哺乳瓶の乳首フランジ
４５  ベビー哺乳瓶のクロージャ
４６  シリコンシールのガスケット
４７  例えば、ウルテム（ＰＥＩ）材料からなる底部キャップ
４７ａ  吸気ホール
４７ｄ  シリコンオーバーモールドになった底部キャップ
４８  吸気傘弁
４８ｂ  吸気傘弁ステム
４８ｋ  傘弁ステム保持器
４９  例えば、医療用シリコン材料からなる伸長可能な保護カバー
４９ｂ  堅い取付グリップのための快適なサイズの伸張可能な保護カバースカート
５０  外部ねじ山の形態のフランジされたシャフト
５０ａ  フランジ
５０ｂ  外部の底部キャップねじ山
５０ｃ  外部の上部キャップねじ山
５１  底部キャップのスプリングバルブのハウジング
５１ａ  底部キャップグリップ一言
５１ｃ  空気入口
５１ｄ  空気排出口
５２  底部キャップのシールのＯリング
５３  ライナークロージャシールのシリコンワッシャー
５４  チェックバルブのカートリッジのハウジング
５５  スプリングバルブシールのＯリング（２ｐｃｓ）
５６  バルブプランジャー
５７  バルブシートＯリング
５８  バルブ圧縮スプリング
５９  保持ワッシャーのプレス
６０  流動方向
１００  キャップ本体のスプリットライン
１０１  液体流動方向
１０２  空気のない液体
１０３  キャップ/液体容器締結ねじ山
１０４  キャップ/本体オーバーモールド締結ねじ山
１１０  マネキン
１１０ａ  マネキンの胸
１１０ｂ  マネキンの胸のねじ山の形態の挿入レセプタクル（取り付けｔｂｄ）
１１０ｈ  液体容器の交換アクセスホール
１１１  一方向バルブのアセンブリ
１１２  ライナーカップ
１１５  一般的に閉じた傘弁シート
１１６  ユーザーの口の吸引によって開放された傘弁シート
１１７  管材を保持ループ
１１８  完全な容量の空気のないライナー
１１９  崩壊した空いた空気のないライナー
１２０  吸気
１２１  一般的に閉じた吸気傘弁シート
１２２  ユーザーの口の液体の吸引によって生成された真空によって開放された吸気傘弁シート
１２３  亀頭/スプリングバルブのサブアセンブリ
１２４  底部キャップ/スプリングバルブのサブアセンブリ
１２５  バルブアセンブリ
【図１】
2019535596.tif 000003
【図２】
2019535596.tif 000004
【図３】
2019535596.tif 000005
【図４】
2019535596.tif 000006
【図５】
2019535596.tif 000007
【図６】
2019535596.tif 000008
【図７】
2019535596.tif 000009
【図８】
2019535596.tif 000010
【図９】
2019535596.tif 000011
【図１０】
2019535596.tif 000012
【図１１】
2019535596.tif 000013
【図１２】
2019535596.tif 000014
【図１３】
2019535596.tif 000015
【図１４】
2019535596.tif 000016
【図１５】
2019535596.tif 000017
【図１６】
2019535596.tif 000018
【図１７】
2019535596.tif 000019
【図１８】
2019535596.tif 000020
【図１９】
2019535596.tif 000021
【図２０】
2019535596.tif 000022
【図２１】
2019535596.tif 000023
【図２２】
2019535596.tif 000024
【図２３】
2019535596.tif 000025
【図２４】
2019535596.tif 000026
【図２５】
2019535596.tif 000027
【図２６】
2019535596.tif 000028
【図２７】
2019535596.tif 000029
【図２８】
2019535596.tif 000030
【図２９】
2019535596.tif 000031
【図３０】
2019535596.tif 000032
【図３１】
2019535596.tif 000033
【図３２】
2019535596.tif 000034
【図３３】
2019535596.tif 000035
【図３４】
2019535596.tif 000036
【図３５】
2019535596.tif 000037
【図３６】
2019535596.tif 000038
【図３７】
2019535596.tif 000039
【図３８】
2019535596.tif 000040
【図３９】
2019535596.tif 000041
【図４０】
2019535596.tif 000042
【図４１】
2019535596.tif 000043
【図４２】
2019535596.tif 000044
【図４３】
2019535596.tif 000045
【図４４】
2019535596.tif 000046
【図４５】
2019535596.tif 000047
【図４６】
2019535596.tif 000048
【図４７】
2019535596.tif 000049
【図４８】
2019535596.tif 000050
【図４９】
2019535596.tif 000051
【図５０】
2019535596.tif 000052
【図５１】
2019535596.tif 000053
【図５２】
2019535596.tif 000054
【図５３】
2019535596.tif 000055
【図５４】
2019535596.tif 000056
【図５５】
2019535596.tif 000057
【図５６】
2019535596.tif 000058
【図５７】
2019535596.tif 000059
【図５８】
2019535596.tif 000060
【図５９】
2019535596.tif 000061
【図６０】
2019535596.tif 000062
【図６１】
2019535596.tif 000063
【図６２】
2019535596.tif 000064
【図６３】
2019535596.tif 000065
【図６４】
2019535596.tif 000066
【図６５】
2019535596.tif 000067
【図６６】
2019535596.tif 000068
【図６７】
2019535596.tif 000069
【図６８】
2019535596.tif 000070
【図６９】
2019535596.tif 000071
【図７０】
2019535596.tif 000072
【図７１】
2019535596.tif 000073
【図７２】
2019535596.tif 000074
【図７３】
2019535596.tif 000075
【図７４】
2019535596.tif 000076
【図７５】
2019535596.tif 000077
【図７６】
2019535596.tif 000078
【図７７】
2019535596.tif 000079
【図７８】
2019535596.tif 000080
【図７９】
2019535596.tif 000081
【図８０】
2019535596.tif 000082
【図８１】
2019535596.tif 000083
【図８２】
2019535596.tif 000084
【図８３】
2019535596.tif 000085
【図８４−８５】
2019535596.tif 000086
【図８６】
2019535596.tif 000087
【図８７】
2019535596.tif 000088
【図８８】
2019535596.tif 000089
【国際調査報告】
2019535596.tif 000090
2019535596.tif 000091
2019535596.tif 000092